(57)【要約】  本発明は２以上の部材等を分離した後であっても、分離前の部材等の組み合わせの判別を容易にすることに貢献する。ラベルシートは、基準線を介して、子領域に分割可能である識別情報領域を、表面に有する基材と、基準線上に形成された分割部と、基材の裏面に形成された粘着層と、を有するラベルシートであって、各子領域は識別情報を含むとともに、各子領域内の識別情報は、夫々、他の子領域内の識別情報と同一であると視認可能であり、粘着層と被着物との間の接着強度は、分割部の破壊強度より大きい。
2014188835.tif 000002
【特許請求の範囲】
【請求項１】
基準線を介して、子領域に分割可能である識別情報領域を、表面に有する基材と、
前記基準線上に形成された分割部と、
前記基材の裏面に形成された粘着層と、
を有するラベルシートであって、
前記各子領域は識別情報を含むとともに、前記各子領域内の前記識別情報は、夫々、他の前記子領域内の前記識別情報と同一であると視認可能であり、
前記粘着層と被着物との間の接着強度は、前記分割部の破壊強度より大きいラベルシート。
【請求項２】
前記分割部の破壊強度は、前記子領域の破壊強度より小さい請求項１に記載のラベルシート。
【請求項３】
前記各子領域は、図形、立体、色彩の少なくともいずれかを前記識別情報として含み、一の前記子領域内の前記識別情報と、他の前記子領域内の前記識別情報とは、所定の閾値を超える類似度である請求項１又は２に記載のラベルシート。
【請求項４】
前記識別情報は、相似、又は前記基準線に対して線対称な形状の図形、立体物の少なくともいずれかを含む請求項１乃至３のいずれか一に記載のラベルシート。
【請求項５】
剥離紙と、前記粘着層と、前記基材と、が積層され、
前記基材に、１又は２以上の前記識別情報領域が並列に配置される請求項１乃至４のいずれか一に記載のラベルシート。
【請求項６】
１又は２以上の前記識別情報領域が並列に配置されるとともに、前記各識別情報領域を含む前記基材と、当該基材の裏面に形成された前記粘着層と、を夫々、前記剥離紙から分離可能である請求項５に記載のラベルシート。
【請求項７】
隣接する識別情報領域は、夫々、形状、模様、色彩の少なくともいずれかが異なる前記識別情報を含む請求項５又は６に記載のラベルシート。
【請求項８】
基準線を介して、子領域に分割可能である識別情報領域を、表面に有する基材を備えるラベルシートの製造方法であって、
前記基材の表面の前記基準線上に分割部を形成する分割部形成工程と、
前記基材の裏面に粘着層を形成する粘着層形成工程と、
前記各子領域に識別情報を含ませるとともに、前記各子領域内に、夫々、他の前記子領域内と同一であると視認可能な識別情報を含ませる工程と、
を含み、
前記分割部形成工程において、前記分割部の破壊強度が、前記粘着層と被着物との間の接着強度よりも小さくなるように、前記分割部を形成するラベルシートの製造方法。
【発明の詳細な説明】
【技術分野】
【０００１】
（関連出願についての記載）
本発明は、日本国特許出願：特願２０１３−１０７６７４号（２０１３年５月２２日出願）の優先権主張に基づくものであり、同出願の全記載内容は引用をもって本書に組み込み記載されているものとする。
本発明は、ラベルシート、及びその製造方法に関し、特に２以上の部材に貼るラベルシート、及びその製造方法に関する。
【背景技術】
【０００２】
対応する２以上の部材について、夫々、対応することを示す印を付けることは多い。例えば、対応することを示す印として、各部材に、数字、文字等を記載する場合がある。または、所定の文字、図形等を印刷したラベル等を、対応する各部材に貼る場合もある。【０００３】
特許文献１においては、医療検査のための採取容器と、検査書類と、を対応付けるためのラベルが開示されている。具体的には、特許文献１に開示されたラベルは、バーコードが付されており、ラベルの一部を剥離可能である。そして、作業者が採取容器にラベルを貼り付け後、ラベルの一部を剥離し、作業者は、剥離した部分を検査書類に貼り付ける。その結果、作業者は、採取容器と、検査書類とに、同一のバーコードの付されたラベルを貼り付けることができる。
【先行技術文献】
【特許文献】
【０００４】
【特許文献１】特開２０００−２２１１９９号公報
【発明の概要】
【発明が解決しようとする課題】
【０００５】
なお、上記先行技術文献の開示を、本書に引用をもって繰り込むものとする。以下の分析は、本発明の観点からなされたものである。【０００６】
上述の通り、対応する２以上の部材に、夫々、対応することを示す印を付けることは多い。その際に、作業者は手作業で、各部材に印の記載等を行う。【０００７】
例えば、連結する２以上の部材を分離し、その後、分離した部材を対応付ける必要がある場合を考える。その場合、作業者は、それらの部材の分離前に、各部材に対応することを示す印を付けておく必要がある。しかし、各部材に印を記載する作業は、煩雑な作業である場合がある。また、手作業で印を記載すると、記載した人物以外が解読できない場合がある。【０００８】
特許文献１に開示されたラベルを用いる場合、作業者が、手作業で、所定の部材（検査容器）にラベルを貼り、ラベルの一部を剥離し、異なる部材（検査書類）に張り替える必要がある。そのため、特許文献１に開示されたラベルを用いる場合、作業者は、ラベルを貼り替える、煩雑な作業を行う必要がある。【０００９】
そこで、本発明は、２以上の部材等を分離した後であっても、分離前の部材等の組み合わせの判別を容易にすることに貢献するラベルシート、及びその製造方法を提供することを目的とする。
【課題を解決するための手段】
【００１０】
本発明の第１の視点によれば、基準線を介して、子領域に分割可能である識別情報領域を、表面に有する基材と、前記基準線上に形成された分割部と、前記基材の裏面に形成された粘着層と、を有するラベルシートであって、前記各子領域は識別情報を含むとともに、前記各子領域内の前記識別情報は、夫々、他の前記子領域内の前記識別情報と同一であると視認可能であり、前記粘着層と被着物との間の接着強度は、前記分割部の破壊強度より大きいラベルシートが提供される。【００１１】
本発明の第２の視点によれば、基準線を介して、子領域に分割可能である識別情報領域を、表面に有する基材を備えるラベルシートの製造方法であって、前記基材の表面の前記基準線上に分割部を形成する分割部形成工程と、前記基材の裏面に粘着層を形成する粘着層形成工程と、前記各子領域に識別情報を含ませるとともに、前記各子領域内に、夫々、他の前記子領域内と同一であると視認可能な識別情報を含ませる工程と、を含み、前記分割部形成工程において、前記分割部の破壊強度が、前記粘着層と被着物との間の接着強度よりも小さくなるように、前記分割部を形成するラベルシートの製造方法が提供される。【００１２】
本発明の各視点によれば、２以上の部材等を分離した後であっても、分離前の部材等の組み合わせの判別を容易にすることに貢献するラベルシート、及びその製造方法が提供される。
【図面の簡単な説明】
【００１３】
【図１】一実施形態の概要を説明するための図である。
【図２】第１の実施形態に係るラベルシート１の外観図である。
【図３】単位ラベル１０の使用の一例を示す図である。
【図４】図３のｍ３方向からの上面図である。
【図５】図４のｍ４−ｍ４断面図である。
【図６】第１の部材２１から第２の部材２２を抜き出した場合の図である。
【図７】テープ状のラベルシート１の一例を示す外観図である。
【図８】第２の実施形態に係るラベルシート１ａの一例を示す外観図である。
【図９】第３の実施形態に係るラベルシート１ｂの一例を示す外観図である。
【図１０】第４の実施形態係るラベルシート１ｃの一例を示す外観図である。
【図１１】第５の実施形態に係るラベルシート１ｄの外観図である。
【図１２】第６の実施形態に係るラベルシート１ｅの外観図である。
【発明を実施するための形態】
【００１４】
初めに、図１を用いて一実施形態の概要について説明する。なお、この概要に付記した図面参照符号は、理解を助けるための一例として各要素に便宜上付記したものであり、この概要の記載はなんらの限定を意図するものではない。
【００１５】
上述の通り、２以上の部材等を分離した後であっても、分離前の部材等の組み合わせの判別を容易にすることに貢献するラベルシートが望まれる。
【００１６】
そこで、一例として図１に示すラベルシート１００を提供する。ラベルシート１００は、基材１０１と、分割部１０２と、粘着層１０３と、を含んで構成される。
【００１７】
基材１０１は、基準線１０４を介して、子領域に分割可能である識別情報領域１０５を、表面に有する。さらに、基材１０１の表面の基準線１０４上には、分割部１０２が形成される。ここで、分割部１０２とは、基材１０１の表面の基準線１０４上に形成された切り込み、ミシン線等を意味する。
【００１８】
また、識別情報領域１０５とは、図形、文字等の情報を含む領域である。以下の説明では、識別情報領域１０５に含まれる図形、文字等の情報を、識別情報と呼ぶ。例えば、識別情報領域１０５に、識別情報として、図形、文字等が印刷されていても良い。
【００１９】
ここで、各子領域は、識別情報を含む。そして、各子領域内の識別情報は、夫々、他の子領域内の識別情報と同一であると視認可能であるとする。なお、同一であると視認可能な識別情報とは、形状、色彩の同一性を、人が視認可能な図形、文字等を意味する。
【００２０】
例えば、図１に示すラベルシート１００の場合、子領域１０６ａに、識別情報として、星型の図形１０７ａが含まれている。また、子領域１０６ｂに、識別情報として、星型の図形１０７ｂが含まれている。そこで、図１に示すラベルシート１００の場合、星型の図形１０７ａと、星型の図形１０７ｂと、の形状、色彩の同一性を、人が視認可能なことが必要である。
【００２１】
そして、基材１０１の裏面には、粘着層１０３が形成されている。ここで、粘着層１０３と被着物との間の接着強度は、分割部１０２の破壊強度より大きい。
【００２２】
例えば、第１の部材と、第１の部材と隣接する第２の部材と、の境界位置から所定の範囲内に、基準線１０４が位置するように貼り付けられた状態で、第１の部材と、第２の部材と、が分離されたとする。その場合、ラベルシート１００は、基準線１０４を介して、子領域に分離するとする。
【００２３】
ここで、上述の通り、粘着層１０３と被着物との間の接着強度は、分割部１０２の破壊強度より大きい。そのため、ラベルシート１００は、第１の部材と、第２の部材と、に、夫々、子領域が貼り付いた状態を維持できる。さらに、上述の通り、各部材に貼りついた子領域には、同一であると視認可能な図形等が印刷等されている。
【００２４】
従って、ラベルシート１００は、２以上の部材等を分離した後であっても、分離前の部材等の組み合わせの判別を容易にすることに貢献する。
【００２５】
［第１の実施形態］
第１の実施形態について、図面を用いてより詳細に説明する。
【００２６】
図２（ａ）、（ｂ）は、本実施形態に係るラベルシート１の外観図である。具体的には、図２（ａ）は、ラベルシート１の上面図である。また、図２（ｂ）は、図２（ａ）のｍ２−ｍ２断面図である。
【００２７】
図２（ａ）、（ｂ）を参照すると、ラベルシート１は、基材２と、基材２の表面の基準線３１上に形成された分割部３と、基材２の裏面に形成された粘着層４と、剥離紙５と、を含んで構成される。
【００２８】
図２（ｂ）に示すように、ラベルシート１は、剥離紙５、粘着層４、基材２の順に積層された構造を有する。なお、以下の説明では、説明のため、基材２と、粘着層４と、の積層体を、単位ラベル１０と呼ぶ。具体的には、１組の子領域を含む基材２と、粘着層４と、の積層体である。
【００２９】
基材２は、基準線３１を介して、子領域に分割可能である識別情報領域６を、表面に有する。図２（ａ）の場合、識別情報領域６は、基準線３１を介して、子領域６１ａと、６１ｂに分離される。なお、基材２は、紙、合成紙、プラスチックシート等であっても良く、その材質について詳細は問わない。
【００３０】
そして、各子領域内の識別情報は、夫々、他の子領域内の識別情報と同一であると視認可能である。具体的には、各子領域は、図形、色彩の少なくともいずれかを、識別情報として含む。そして、一の子領域内の識別情報と、他の子領域内の識別情報と、は所定の閾値を超える類似度である。より具体的には、各子領域は、相似、又は基準線３１に対して線対称な形状の図形を含むことが好ましい。なお、図形とは、多角形、シンボル、文字等を含み、その形状等について詳細は問わない。
【００３１】
例えば、図２（ａ）の場合、子領域６１ａ、６１ｂは、夫々、識別情報６２ａ、６２ｂを含む。例えば、図２（ａ）の場合、識別情報として、同一であると認識可能な星型の図形６２ａ、６２ｂが、子領域６１ａ、６１ｂに描画されている。
【００３２】
分割部３は、各子領域を分離するための切り込み、ミシン線等である。また、分割部３は、切り込みと、ミシン線の組み合わせであっても良い。
【００３３】
また、基準線３１から所定の範囲内の厚みを、基準線３１以外の部分より薄くして、分割部３を形成しても良い。なお、図２においては、基準線３１、及び分割部３を直線形状としているが、基準線３１、及び分割部３を直線形状に限定する趣旨ではない。例えば、基準線３１、及び分割部３は、曲線、蛇行線、のこぎり波形線等であっても良い。
【００３４】
ここで、分割部３を介して、基材２が分離された場合に、子領域が破壊されないことが好ましい。つまり分割部３を介して、基材２が分離された場合に、子領域に亀裂等が生じないことが好ましい。そのため、分割部３の破壊強度は、子領域の破壊強度より小さいことが好ましい。
【００３５】
粘着層４は、主に粘着剤で構成される。粘着剤は、アクリル系粘着剤、ゴム系粘着剤、シリコン系粘着剤等、各種あるが、その詳細は問わない。粘着剤は、対象とする被着物の表面の材質等に応じて、決定することが好ましい。
【００３６】
ただし、単位ラベル１０は、隣接する２つの部材の境界位置を挟むように貼り付けられた後に、それらの部材を分離した場合、各部材から剥がれずに、各部材に子領域が貼りついた状態を維持することが好ましい。そのため、粘着層４と被着物との間の接着強度は、分割部３の破壊強度より大きいことが好ましい。
【００３７】
基材２は、粘着層４を介して、剥離紙５に貼り付いている。そして、粘着層４は、剥離紙５から剥離することが可能である。
【００３８】
図３は、単位ラベル１０の使用の一例を示す図である。具体的には、図３は、第１の部材２１と、第１の部材２１に隣接する第２の部材２２と、の境界位置に単位ラベル１０を貼り付けた一例を示す斜視図である。具体的には、図３の場合、第２の部材２２は、第１の部材２１に挿入されているとする。また、図４は、図３のｍ３方向からの上面図である。また、図５は、図４のｍ４−ｍ４断面図である。
【００３９】
ここで、第２の部材２２に対して、図５に示す矢印Ｎ１の方向に外力が加わり、図６に示すように、第１の部材２１から第２の部材２２を抜き出したとする。その場合、図６に示すように、単位ラベル１０は、第１の部材２１と、第２の部材２２と、に各子領域が貼り付けられた状態で分離される。
【００４０】
つまり、第１の部材２１と、第１の部材２１と隣接する第２の部材２２と、の境界位置から所定の範囲内に、基準線３１が位置するように貼り付けられた状態で、第１の部材２１と、第２の部材２２と、が分離されたとする。その場合、単位ラベル１０は、第１の部材２１と、第２の部材２２と、に子領域が夫々貼り付いた状態となる。なお、第１の部材２１と、第２の部材２２と、の間に、間隔があっても良いことは勿論である。
【００４１】
図７は、単位ラベル１０を線上に並列した、テープ状のラベルシート１の一例を示す外観図である。具体的には、図７に示すラベルシート１においては、１枚の剥離紙５上に、単位ラベル１０が線上に並列されている。つまり、図７に示すラベルシート１においては、２以上の識別情報領域が並列に配置されるとともに、各識別情報領域を含む基材２と、当該基材の裏面に形成された粘着層４と、を夫々、剥離紙５から分離可能である。例えば、図７に示すように、ラベルシート１においては、隣接する単位ラベル１０との間に所定の距離を設け、単位ラベル１０毎に、剥離可能としても良い。または、隣接する単位ラベル１０との間に切り込みを形成しても良い。
【００４２】
そして、単位ラベル１０を並列した場合、隣接する識別情報領域６は、夫々、形状、模様、色彩の少なくともいずれかが異なる識別情報を含む。例えば、図７の場合、各単位ラベル１０には、識別情報として、円形、星型、三角形、十字型のように、異なる図形が印刷されている。なお、識別情報は、図７に示す図形に限定されないことは勿論である。
【００４３】
さらに、単位ラベル１０を並列に配置する場合、識別情報のパターン数は、所定の閾値を超えることが好ましい。なお、識別情報のパターン数の上限は、用途等に応じて、決定しても良い。
【００４４】
以上のように、本実施形態に係る単位ラベル１０は、粘着層を備え、基準線３１を介して、２以上の子領域に分離できる。そして、各子領域には、他の子領域と同一であると認識可能な図形等が印刷されている。そして、作業者が、隣接する部材等の境界を挟むように本実施形態に係る単位ラベル１０を貼れば、それらの部材等を分離後、単位ラベル１０を各部材等に張り付いた状態にできる。そのため、作業者は、２以上の部材等を分離する際に、各部材等に、順にラベルを貼る等の作業を行う必要がない。
【００４５】
また、２以上の単位ラベル１０を並列に配置しても良い。その場合、作業者が、本実施形態に係るラベルシート１を使用する際に、作業者は、各部材等に貼った単位ラベル１０の図形等、識別情報を記憶する必要はない。作業者は、図７に示すラベルシート１を順に使用することで、異なる部材等に、異なる識別情報の単位ラベル１０を貼ることができる。
【００４６】
従って、本実施形態に係るラベルシート１は、２以上の部材等を分離した後であっても、分離前の部材等の組み合わせの判別を容易にすることに貢献する。
【００４７】
［第２の実施形態］
次に、第２の実施形態について、図面を用いて詳細に説明する。
【００４８】
本実施形態は、単位ラベル１０を、上下、左右に並列に配置する形態である。なお、本実施形態における説明では、第１の実施形態と重複する部分の説明は省略する。さらに、本実施形態における説明では、第１の実施形態と同一の構成要素には、同一の符号を付し、その説明を省略する。
【００４９】
図８は、本実施形態に係るラベルシート１ａの一例を示す外観図である。具体的には、図８は、単位ラベル１０を上下、左右に並列に配置した、ラベルシート１ａの一例を示す外観図である。つまり、ラベルシート１ａにおいては、図８に示すラベルシート１ａにおいては、２以上の識別情報領域が、上下、左右に並列に配置されるとともに、各識別情報領域を有する基材２と、当該基材２の裏面に形成された粘着層４と、を剥離紙５から分離可能である。ここで、隣接する識別情報領域は、夫々、形状、模様、色彩の少なくともいずれかが異なる識別情報を含むことが好ましい。例えば、図８に示すように、同じ形状の識別情報であっても、異なる模様、色彩の識別情報が隣接するように、単位ラベル１０を配置すること好ましい。
【００５０】
以上のように、識別情報の異なる単位ラベル１０を上下、左右に並列に配置することで、作業者は、使用する単位ラベル１０を選択することが容易となる。例えば、作業者は、部材等の色等に応じて、識別しやすい色（例えば、被着物の色に対する補色等）の単位ラベル１０を選択して使用しても良い。
【００５１】
従って、本実施形態に係るラベルシート１ａは、２以上の部材等を分離した後であっても、分離前の部材等の組み合わせの判別を、より一層、容易にすることに貢献する。
【００５２】
［第３の実施形態］
次に、第３の実施形態について、図面を用いて詳細に説明する。
【００５３】
本実施形態は、識別情報を２組以上、線上に並列に配置して印刷し、テープ状とした形態である。なお、本実施形態における説明では、上記の実施形態と重複する部分の説明は省略する。さらに、本実施形態における説明では、上記の実施形態と同一の構成要素には、同一の符号を付し、その説明を省略する。
【００５４】
図９は、本実施形態に係るラベルシート１ｂの一例を示す外観図である。具体的には、図９は、１枚の基材２に、２以上の識別情報領域が並列に配置されたラベルシート１ｂの一例を示す外観図である。より具体的には、図９は、識別情報を２組以上、線上に並列に配置して印刷した、テープ状のラベルシート１ｂの一例を示す外観図である。そして、図９に示すラベルシート１ｂの場合、作業者は、鋏等を用いて、必要な大きさをラベルシート１ｂから切り取る。なお、１組の識別情報において、各子領域間には、ミシン線等があるものとする。
【００５５】
以上のように、本実施形態に係るラベルシート１ｂにおいては、作業者は、使用状況に応じた大きさに単位ラベル１０を切り取ることができる。その結果、本実施形態に係るラベルシート１ｂは、作業者の利便性を向上させることに貢献する。
【００５６】
［第４の実施形態］
次に、第４の実施形態について、図面を用いて詳細に説明する。
【００５７】
本実施形態は、上下、左右に並列に配置して、識別情報を２組以上、印刷した形態である。なお、本実施形態における説明では、上記の実施形態と重複する部分の説明は省略する。さらに、本実施形態における説明では、上記の実施形態と同一の構成要素には、同一の符号を付し、その説明を省略する。
【００５８】
図１０は、本実施形態係るラベルシート１ｃの一例を示す外観図である。具体的には、図１０は、１枚の基材２に、２以上の識別情報領域が、上下、左右に並列に配置されたラベルシート１ｃの一例を示す外観図である。より具体的には、図１０は、上下、左右に並列に配置して、識別情報を２組以上、印刷したラベルシート１ｃの一例を示す外観図である。ラベルシート１ｃには、図８に示すラベルシート１ａと同様に、同じ形状の識別情報であっても、異なる模様、色彩の識別情報が隣接するように、識別情報が印刷されることが好ましい。なお、ラベルシート１ｃにも、１組の識別情報において、各子領域間には、ミシン線等があるものとする。
【００５９】
本実施形態に係るラベルシート１ｃにおいては、作業者は、使用状況、及び部材等の色に応じた単位ラベル１０を切り取ることができる。その結果、本実施形態に係るラベルシート１ｃは、より一層、作業者の利便性を向上させることができる。
【００６０】
［第５の実施形態］
次に、第５の実施形態について、図面を用いて詳細に説明する。
【００６１】
本実施形態は、基準線３１を介して線対称な図形等が印刷された形態である。なお、本実施形態における説明では、上記の実施形態と重複する部分の説明は省略する。さらに、本実施形態における説明では、上記の実施形態と同一の構成要素には、同一の符号を付し、その説明を省略する。
【００６２】
図１１（ａ）、（ｂ）は、本実施形態に係るラベルシート１ｄの外観図である。具体的には、図１１（ａ）は、ラベルシート１ｄの上面図である。また、図１１（ｂ）は、図１１（ａ）のｍ５−ｍ５断面図である。なお、以下の説明では、図１１（ａ）、（ｂ）に示す基材２と、分割部３と、粘着層４と、を単位ラベル１０ｄと呼ぶ。
【００６３】
図１１の場合、識別情報領域６は、１つの図形（星型の図形）を、識別情報として含む。そして、図１１の場合、識別情報領域６に含まれる識別情報（星型の図形）は、基準線３１（分割部３）に対して線対称である。具体的には、識別情報領域６の子領域６１ｃは、識別情報６２ｃ（星型図形の右半分）を含む。また、識別情報領域６の子領域６１ｄは、識別情報６２ｄ（星型図形の左半分）を含む。
【００６４】
ここで、例えば、図３に示す第１の部材２１と、第２の部材２２と、の境界位置から所定の範囲内に、基準線３１が位置するように、単位ラベル１０ｄ貼り付けられた状態で、第１の部材２１と、第２の部材２２と、が分離されたとする。その場合、第１の部材２１に子領域６１ｃが貼られ、第２の部材２２に子領域６１ｄが貼られた状態となる。そのため、作業者は、識別情報６２ｃ（星型図形の右半分）と、識別情報６２ｄ（星型図形の左半分）と、に基づいて、第１の部材２１と、第２の部材２２と、が対応することを把握しても良い。なお、識別情報は、分離後に、互いに対応する図形であることを、容易に、作業者が把握可能な図形が好ましい。
【００６５】
以上のように、本実施形態に係るラベルシート１ｄは、基準線３１を介して線対称な図形等が印刷されている。そのため、識別情報が１つの図形であっても、上記の実施形態と同様の効果を得ることができる。
【００６６】
［第６の実施形態］
次に、第６の実施形態について、図面を用いて詳細に説明する。
【００６７】
本実施形態は、識別情報が立体である形態である。なお、本実施形態における説明では、上記の実施形態と重複する部分の説明は省略する。さらに、本実施形態における説明では、上記の実施形態と同一の構成要素には、同一の符号を付し、その説明を省略する。
【００６８】
図１２（ａ）、（ｂ）は、本実施形態に係るラベルシート１ｅの外観図である。具体的には、図１２（ａ）は、ラベルシート１ｅの上面図である。また、図１２（ｂ）は、図１２（ａ）のｍ６−ｍ６断面図である。なお、以下の説明では、図１２（ａ）、（ｂ）に示す基材２と、分割部３と、粘着層４と、を単位ラベル１０ｅと呼ぶ。
【００６９】
図１２（ａ）に示すように、識別情報領域６は、子領域６１ｅ、６１ｆを含む。そして、子領域６１ｅは、識別情報６２ｅを含む。また、子領域６１ｆは、識別情報６２ｆを含む。
【００７０】
ここで、図１２（ｂ）に示すように、本実施形態に係るラベルシート１ｅにおいては、識別情報６２ｅ、６２ｆは、立体物である。つまり、図１２（ｂ）に示すように、ラベルシート１ｅは、立体物の識別情報６２ｅ、６２ｆと、基材２と、粘着層４と、剥離紙５と、が積層された構造である。
【００７１】
例えば、第１の部材２１と、第１の部材２１と隣接する第２の部材２２と、の境界位置から所定の範囲内に、基準線３１が位置するように、ラベルシート１ｅが貼られたとする。その後、第１の部材２１と、第２の部材２２と、が分離されたとする。その場合、作業者は、視覚だけではなく、立体物である識別情報に触れて、分離前の部材等の組み合わせを把握してもよい。つまり、作業者は、触覚に基づいて、分離前の部材等の組み合わせを把握できる。
【００７２】
従って、本実施形態に係るラベルシート１ｅは、２以上の部材等を分離した後であっても、分離前の部材等の組み合わせの判別を、より一層、容易にし、さらに作業者の利便性を向上させることに貢献する。
【００７３】
上記の実施形態の一部又は全部は、以下の形態のようにも記載され得るが、以下には限られない。
【００７４】
（形態１）上記第１の視点に係るラベルシートの通りである。
【００７５】
（形態２）前記分割部の破壊強度は、前記子領域の破壊強度より小さい形態１に記載のラベルシート。
【００７６】
（形態３）前記各子領域は、図形、立体、色彩の少なくともいずれかを前記識別情報として含み、一の前記子領域内の前記識別情報と、他の前記子領域内の前記識別情報とは、所定の閾値を超える類似度である形態１又は２に記載のラベルシート。
【００７７】
（形態４）前記識別情報は、相似、又は前記基準線に対して線対称な形状の図形、立体物の少なくともいずれかを含む形態１乃至３のいずれか一に記載のラベルシート。
【００７８】
（形態５）剥離紙と、前記粘着層と、前記基材と、が積層され、
前記基材に、１又は２以上の前記識別情報領域が並列に配置される形態１乃至４のいずれか一に記載のラベルシート。
【００７９】
（形態６）１又は２以上の前記識別情報領域が並列に配置されるとともに、前記各識別情報領域を含む前記基材と、当該基材の裏面に形成された前記粘着層と、を夫々、前記剥離紙から分離可能である形態５に記載のラベルシート。
【００８０】
（形態７）隣接する識別情報領域は、夫々、形状、模様、色彩の少なくともいずれかが異なる前記識別情報を含む請求項５又は６に記載のラベルシート。
【００８１】
（形態８）上記第２の視点に係るラベルシートの製造方法の通りである。
【００８２】
なお、引用した上記の特許文献の開示は、本書に引用をもって繰り込むものとする。本発明の全開示（請求の範囲を含む）の枠内において、さらにその基本的技術思想に基づいて、実施形態ないし実施例の変更・調整が可能である。また、本発明の請求の範囲の枠内において種々の示要素（各請求項の各要素、各実施形態ないし実施例の各要素、各図面の各要素等を含む）の多様な組み合わせ、ないし、選択が可能である。すなわち、本発明は、請求の範囲を含む全開示、技術的思想にしたがって当業者であればなし得るであろう各種変形、修正を含むことは勿論である。特に、本書に記載した数値範囲については、当該範囲内に含まれる任意の数値ないし小範囲が、別段の記載のない場合でも具体的に記載されているものと解釈されるべきである。
【符号の説明】
【００８３】
１、１ａ〜１ｅ、１００  ラベルシート
２、１０１  基材
３、１０２  分割部
４、１０３  粘着層
５  剥離紙
６、１０５  識別情報領域
１０、１０ｄ、１０ｅ  単位ラベル
２１  第１の部材
２２  第２の部材
３１、１０４  基準線
６１ａ〜６１ｆ、１０６ａ、１０６ｂ  子領域
６２ａ〜６２ｆ、１０７ａ、１０７ｂ  識別情報
【図１】
2014188835.tif 000003
【図２】
2014188835.tif 000004
【図３】
2014188835.tif 000005
【図４】
2014188835.tif 000006
【図５】
2014188835.tif 000007
【図６】
2014188835.tif 000008
【図７】
2014188835.tif 000009
【図８】
2014188835.tif 000010
【図９】
2014188835.tif 000011
【図１０】
2014188835.tif 000012
【図１１】
2014188835.tif 000013
【図１２】
2014188835.tif 000014
【国際調査報告】
2014188835.tif 000015
2014188835.tif 000016
2014188835.tif 000017
2014188835.tif 000018